(57)【特許請求の範囲】
【請求項１】
前面扉と前面扉に取付けられた取手と物品を収納するための主引出し本体とを有する主引出しと、物品を収納するために主引出し本体の上方に配置される内引出しと、主引出しと内引出しとを収容するキャビネット本体と、主引出しをキャビネット本体にスライド移動可能な状態で固定するとともに主引出しの閉止方向に引込み力が作用する第１レールと、内引出しをキャビネット本体にスライド移動可能な状態で固定するとともに内引出しの閉止方向に引込み力が作用する第２レールと、前面扉と内引出しとを連結可能とするとともに、主引出しと内引出しとを連結状態を維持して引出すことが可能な連結具と、を備えた引出しキャビネットであって、主引出しの取手を、引出す側である前方に向けて引くことにより前面扉がその下端を軸として前方へ回動すると、連結具を介して前面扉と連結状態となった内引出しが前方へスライド移動し、前面扉の傾斜角度が第１所定角度に達したときには、第２レールの内引出しに対する引込み力の作用が解除されることを特徴とする引出しキャビネット。
【請求項２】
請求項１に記載の引出しキャビネットであって、取手を第１所定角度からさらに前方へ引くことによって、内引出しと連結具で連結された前面扉が第２所定角度に達したときに、主引出しと内引出しとが連結状態で引出すことが可能となり、内引出しと連結状態の主引出しが所定位置まで引出されたときには、第１レールの主引出しに対する引込み力の作用が解徐されることを特徴とする引出しキャビネット。
【請求項３】
請求項２に記載の引出しキャビネットであって、主引出しと内引出しとが連結状態で引出されたあとに、内引出しを閉止方向に向けて押込むことにより、主引出しと内引出しの連結状態を維持していた連結具の係合が解除されることを特徴とする引出しキャビネット。
【請求項４】
請求項１から３のいずれかに記載の引出しキャビネットであって、第１レールと第２レールには、主引出しと内引出しが閉止する際の衝撃を吸収するためのダンパーがそれぞれ取付けられていることを特徴とする引出しキャビネット。
【発明の詳細な説明】
【技術分野】
【０００１】
本発明は、キッチン等で使用される引出しキャビネットに関し、特に、主引出しに加えて内引出しを有し、さらに、主引出しと内引出しの両方に対し、間止方向に引込み力が作用し、引出しの閉止時にはダンパーが作用するレール（以下、ソフトクローズ機構）を備えた引出しキャビネットに関する。
【背景技術】
【０００２】
近年のキッチンではデザイン性を重視して、引出しの前面扉割を大型化する傾向や、その一方でキャビネットの収納効率を向上させたいという ニーズがあり、内引出しを備えた引出しが増えている。そして、キッチンキャビネットにおいて、使い勝手向上のため、主引出しと内引出しとを連結させて引出せる引出しキャビネットも知られている（特許文献１参照）。
【０００３】
また、引出しに小さな力を加えれば、引出しのレールが有する引込み力によって引出しが収納位置に引込まれる、いわゆるソフトクローズ機構を備えたキャビネットも増えている。ソフトクローズ機構を備えたキッチンキャビネットでは、引出しを閉める際の衝撃を吸収するために、キャビネット本体にダンパーを取付けている（特許文献２参照）。本出願人は、自社の先願として、内引出しを主引出しと連結させて引出す際の引出し力の軽減する発明（特願２０１１−１２１５２０）を提案している。
【０００４】
さらに、キャビネットにおいて、主引出しの前面扉が傾斜する構成が知られている（特許文献３、４参照）。
【先行技術文献】
【特許文献】
【０００５】
【特許文献１】特開２００６−１４１７９６号公報
【特許文献２】特開２００７−２５２４９１号公報
【特許文献３】特開２００３−２１９９２６号公報
【特許文献４】特開２０１１−２１２２７４号公報
【発明の概要】
【発明が解決しようとする課題】
【０００６】
主引出しと内引出しを連結させて引出すことが可能な引出しにおいては、主引出しと内引出しの両方にソフトクローズ機構を採用すると、それぞれのレールが有する引込み力の和が、連結状態で引出しを開けようとする引出し力の反力となる。このため、連結状態で引出しを引出すためには大きな力が必要になり、ユーザーにとって不便な面があった。
【０００７】
本発明は、上記のとおり、主引出しと内引出しを連結させて引出すことが可能であり、主引出しと内引出しの両方にソフトクローズ機構を採用して成る引出しにおいて、連結状態で引出すための力が軽減されたキャビネットを実現することを課題とする。
【課題を解決するための手段】
【０００８】
本発明は上記課題を解決するために、前面扉と前面扉に取付けられた取手と物品を収納するための主引出し本体とを有する主引出しと、物品を収納するために主引出し本体の上方に配置される内引出しと、主引出しと内引出しとを収容するキャビネット本体と、主引出しをキャビネット本体にスライド移動可能な状態で固定するとともに主引出しの閉止方向に引込み力が作用する第１レールと、内引出しをキャビネット本体にスライド移動可能な状態で固定するとともに内引出しの閉止方向に引込み力が作用する第２レールと、前面扉と内引出しとを連結可能とするとともに、主引出しと内引出しとを連結状態を維持して引出すことが可能な連結具と、を備えた引出しキャビネットであって、主引出しの取手を、引出す側である前方に向けて引くことにより前面扉がその下端を軸として前方へ回動すると、連結具を介して前面扉と連結状態となった内引出しが前方へスライド移動し、前面扉の傾斜角度が第１所定角度に達したときには、第２レールの内引出しに対する引込み力の作用が解除されることを特徴とする引出しキャビネットを提供する。
【０００９】
取手を第１所定角度からさらに前方へ引くことによって、内引出しと連結具で連結された前面扉が第２所定角度に達したときに、主引出しと内引出しとが連結状態で引出すことが可能となり、内引出しと連結状態の主引出しが所定位置まで引出されたときには、第１レールの主引出しに対する引込み力の作用が解徐される構成としてもよい。
【００１０】
主引出しと内引出しとが連結状態で引出されたあとに、内引出しを閉止方向に向けて押込むことにより、主引出しと内引出しの連結状態を維持していた連結具の係合が解除される構成としてもよい。
【００１１】
第１レールと第２レールには、主引出しと内引出しが閉止する際の衝撃を吸収するためのダンパーがそれぞれ取付けられている構成としてもよい。
【発明の効果】
【００１２】
本発明によると、主引出しと内引出しの両方にソフトクローズ機構を採用して成る引出しキャビネットにおいて、主引出しと内引出しを連結させて引出すことが可能であり、連結状態で引出すための力を軽減することが可能となる。
【図面の簡単な説明】
【００１３】
【図１】本発明に係る引出しキャビネットの実施例１を示す図であり、（ａ）は主引出しと内引出しが閉じられた状態を示す断面図であり、（ｂ）、（ｃ）は前面扉を回動可能に主引出しに取付ける構成を説明する断面図であり、（ｄ）は連結具を説明するための要部を示す図である。
【図２】実施例１の作用を説明する断面図であり、（ａ）は前面扉が前方に回動されて、連結具の係合片の係合部が内引出しの係合突起に係合する状態の要部を示し、（ｂ）は内引出しのソフトクローズ機構のバネによる引出し力の作用が解除される第１所定角度における状態を示し、（ｃ）は主引出しのソフトクローズ機構のバネによる引出し力の作用が解除される所定位置における状態を示す。
【図３】実施例１の作用を説明する断面図であり、（ａ）は主引出し及び内引出しが前方に引出された状態を示し、（ｂ）は内引出しのみをキャビネット本体内に押込んで閉じる過程の状態を示す。
【図４】実施例１のダンパーを内蔵した内引出し用のソフトクローズ機構を説明する図であり、（ａ）は内引出し用の第２レールの平面図であり、（ｂ）は側面図であり、（ｃ）は（ａ）の要部拡大図であり、（ｄ）は（ａ）のＤ−Ｄ断面図である。
【図５】実施例１の内引出し用の第２インナーレールを説明する図であり、（ａ）は平面図であり、（ｂ）は側面図であり、（ｃ）は正面図であり、（ｄ）は第２インナーレールを第２レールに組み込んだ状態のソフトクローズ機構付きレール装置の側面図であり、（ｅ）は第２インナーレールを第２レールに組み込んだ状態を下方から見た図であり、（ｆ）は第２インナーレールを第２レールに組み込んだ状態を正面から見た図である。
【図６】実施例１のロック案内部材を示す図であり、（ａ）は水平面で破断した状態の平面図であり、（ｂ）は正面図であり、（ｃ）はロック部材の平面図であり、（ｄ）はロック部材の正面図である。
【図７】（ａ）、（ｂ）はそれぞれ図６（ａ）のＡ−Ａ、Ｂ−Ｂ断面図であり、（ｃ）は第２インナーレールを第２レールに組み込んだ状態を示す断面図（図８（ａ）のＣ−Ｃ断面図）であり、（ｄ）はその要部拡大図である。
【図８】（ａ）〜（ｃ）はソフトクローズ機構の動作を説明する図である。
【発明を実施するための形態】
【００１４】
本発明に係る引出しキャビネットを実施するための形態を実施例に基づき図面を参照して、以下説明する。
【実施例】
【００１５】
図１〜８は、本発明に係る引出しキャビネットの実施例を説明する図である。この実施例の引出しキャビネット１は、図１（ａ）に示すように、少なくとも、主引出し３及び内引出し４を備えている。主引出し３及び内引出し４は、それぞれキャビネット本体２に対して前後方向にスライド移動可能に設けられている。
【００１６】
主引出し３は、前面扉６と、物品を収納するための主引出し本体５とを有する。前面扉６は、図１（ｂ）、（ｃ）に示すように、主引出し３の底部７の前端に、例えばヒンジ８で前方に回動可能に取付けられている。前面扉６の前方への回動を、図１（ｃ）に示すように、所定の角度β（第２所定角度）に制限するために、前面扉６の内面（後側の面）と主引出し本体５の外側面との間に、回動制限用のリンク機構９が設けられている。
【００１７】
このリンク機構９は、図１（ｂ）、（ｃ）に示すように、前面扉６の内面に一端が取付けられたリンク片１０と、一端がリンク片１０の他端に回転可能に取付けられ他端が主引出し本体５の外側面に回転可能に取付けられた回転リンク片１０’とから成る。
【００１８】
主引出し３の前面扉６には、図１（ａ）、（ｄ）に示すように、その前面に、主引出し３を引出すために手を掛けることのできる、前方に突出した平面視で凹状の取手１１が設けられている。
【００１９】
また、図１（ａ）、（ｄ）に示すように、前面扉６の内面において、内引出し４に近接した下方の位置に、矢印Ｆ方向に弾力を有する板バネから成る係合片１２が固定されている。係合片１２は、その基端が前面扉６の内面に固定されており、その先端が後方に延びるように設けられている。係合片１２の先端には断面凹状の係合部１２’が形成されている。
【００２０】
内引出し４は、物品を収納するために主引出し本体５の上方に配置される内引出し本体１５を有し、内引出し本体１５の前端には前面壁１７が設けられている。内引出し本体１５の前端に近い部分における底部には、下方に向けて係合突起１８が固定されている。
【００２１】
係合片１２と係合突起１８は、互いに係脱可能である。図１（ａ）、（ｄ）に示すように、主引出し３及び内引出し４がキャビネット内に引込まれて完全に収納され閉止されている状態では、係合片１２の係合部１２’は、係合突起１８の下方の離れた位置にあり、係合していない。
【００２２】
作用の項で詳記するが、係合片１２と係合突起１８は、互いに係合して、主引出し３と内引出し４を連結状態で共に前方へ引出すための連結具１３を構成する。係合片１２と係合突起１８の係合を、係合片１２の弾力に抗して解除し、主引出し３のみ又は内引出し４のみをスライド移動させることも可能である。
【００２３】
キャビネット本体２の左右の側壁１４の内側面には、それぞれ図２（ｃ）、図３（ａ）に示すように、主引出し３をキャビネット本体２にスライド移動可能な状態で固定する第１レール１９と、内引出し４をキャビネット本体２にスライド移動可能な状態で固定する第２レール２０を備えている。後記するが、主引出し３及び内引出し４は、それぞれ第１レール１９及び第２レール２０においてスライド移動する行程の途中の所定位置及び第１所定角度に対応する位置に到達するまで、閉止方向に引込み力が作用する。            
【００２４】
一方、主引出し３の左右の外側面には、それぞれ図１（ａ）、図２（ａ）〜（ｃ）、図３（ａ）に示すように、キャビネット本体２の第１レール１９をスライド移動する主引出し用の第１インナーレール２１が設けられている。また、内引出し４の左右の外側面には、それぞれ図１（ａ）、図２（ａ）〜（ｃ）、図３（ａ）に示すように、キャビネット本体２の第２レール２０をスライド移動する内引出し用の第２インナーレール２２が設けられている。
【００２５】
使用者が取手１１に手を掛けて主引出し３を前方に引くと、前面扉６が前方に回動するために、主引出し３は前方に移動しない。そして、図２（ａ）に示すように、前面扉６が前方に角度α’だけ回動すると、係合片１２も回動してその係合部１２’が係合突起１８に係合する。そのために、前面扉６が前方にさらに回動すると、連結具１３を構成する係合片１２及び係合突起１８を介して、内引出し４に前方への力が付与されるので、内引出し４は前方へのスライド移動を開始する。
【００２６】
さらに、図１（ｃ）、図２（ｃ）に示すように、前面扉６が角度βまで回動すると、リンク機構９によって回動が拘束されるが、そのままさらに取手１１を前方へ引くと、内引出し４に加えて主引出し３も前方にスライド移動可能となる。要するに、主引出し３と内引出し４は、前面扉６、係合片１２及び係合突起１８を介して連結状態となり、共に前方にスライド移動を開始することとなる。
【００２７】
図３（ａ）は、主引出し３と内引出し４を前方に引出した状態を示すが、この状態で、内引出し４の前面壁１７を後方に押すと、内引出し４が後方に移動し係合突起１８は、係合片１２をその弾力に抗して時計針回転方向に反らせ（図２（ａ）の矢印Ｆ’方向参照）、係合部１２’から離脱する。要するに、係合片１２の係合部１２’と係合突起１８の係合を解除し、内引出し４のみが後方にスライド移動可能となる。
【００２８】
このように係合片１２の係合部１２’と係合突起１８の係合が解除された状態で、取手１１を持って主引出し３を後方に移動し、キャビネット本体２内に押込み、主引出し３と内引出し４をキャビネット本体１３’内に引込ませると、主引出し３と内引出し４は、図１（ａ）、（ｄ）に示すような閉止状態となる。            
【００２９】
ところで、本発明の引出しキャビネット１は、主引出し３及び内引出し４について、それぞれソフトクローズ機構によって、引出しを閉める際に、引出しがキャビネット本体２内に閉止される前に、引込み力が作用し、しかも減速されて、使用者が最後まで手で押込まなくても、引出しは、ゆっくりと後方に移動して閉まるように構成されている。
【００３０】
ソフトクローズ機構は、引出しをキャビネット本体２内に引込む引込み力を生じる「引込み機構」と、使用者が引出しを後方に押込む押込み力及び引込み力によって引出し４がキャビネット本体２に衝撃を与えないように緩衝する「ダンパー」とを有する。
【００３１】
本発明の引出しキャビネット１は、主引出し３及び内引出し４を開く際に、それぞれのソフトクローズ機構によって生じる引込み力の和に対して引出すための力を軽減する構成を特徴とするものである。従って、本発明の引出しキャビネット１は、ソフトクローズ機構を備えていることを前提としている。ソフトクローズ機構自体は、本出願前に公知であるが、本発明は、ソフトクローズ機構によって生じる引込み力の和に対して引出すための力を軽減する構成を特徴とし、ソフトクローズ機構と密接に関連するために、ソフトクローズ機構の一例を説明する。
【００３２】
本発明の引出しキャビネット１の前提であるソフトクローズ機構は、主引出し３においては第１レール１９及び第１インナーレール２１とともにソフトクローズ機構付きレール装置の構成しており、内引出し４においては第２レール２０及び第２インナーレール２２とともにソフトクローズ機構付きレール装置の構成している。
【００３３】
主引出し３におけるソフトクローズ機構付きレール装置と、内引出し４におけるソフトクローズ機構付きレール装置は、同じ構成であるので、ここでは、内引出し４のソフトクローズ機構付きレール装置について図４〜８を参照して説明する。
【００３４】
ソフトクローズ機構付きレール装置の全体構成：
内引出し用の第２レール２０は、図４に示すように、長尺状の底部２６と、底部２６の外縁から上方垂直に起立した外側壁２７と、底部２６の内縁から上方垂直に起立しさらに外側に水平に曲げて形成された支持レール部２８とを備えている。外側壁２７がキャビネット本体２の左右の側壁１４のそれぞれ内側面にねじ等で固定されることで、第２レール２０は、キャビネット本体２に取付けられる。
【００３５】
内引出し用の第２インナーレール２２は、図５に示すように、長尺状の頂壁３２と、頂壁３２の外縁から下方垂直に曲げられた外側壁３３と、外側壁３３の下縁から内側に水平に曲げて形成された底部３４と、頂壁３２の内縁から下方垂直に曲げられた内側壁３５とを備えている。底部３４の下面には、後記するロック部材と係合する係合突起３６が下方に向けて突設されている。
【００３６】
図５（ｃ）、（ｆ）に示すように、外側壁３３の外面に、取付け壁３１が上方に伸びるよう固定されており、取付け壁３１が内引出し４の外側面に固定されることで、第２インナーレール２２が内引出し４に取付けられる。    
【００３７】
第２インナーレール２２が、図５（ｆ）に示すように、第２レール２０の支持レール部２８上に転動輪３８を介して又は直接載置され、前後方向に移動することで、内引出し４は、キャビネット本体２に対して前後方向にスライド移動可能となる。
【００３８】
ソフトクローズ機構の構成：                         
次に、ソフトクローズ機構２３について、まずその引込み機構２４について説明する。第２レール２０の底部２６の長手方向中央部に、図４（ａ）に示すように、長手方向に伸びるロック案内部材４０が設けられている。
【００３９】
ロック案内部材４０は図７（ａ）に示すように、頂壁４１と、頂壁４１の外縁から下方に第２レール２０の底部２６まで垂下した外側壁４２と、頂壁４１の内縁から下方に垂下した内側壁４３と、図６（ａ）に示すように、前端及び側部に設けられた取付け部４４（側部については図示せず）とから構成されている。内側壁４３と第２レール２０の底部２６との間には、図６（ｂ）に示すように、長手方向に沿って隙間４６が形成されている。
【００４０】
ロック案内部材４０の内側壁４３の後端部では、図６（ｂ）に示すように、内側壁４３は第２レール２０の底部２６まで垂下して形成されている。ロック案内部材４０の前端部に近い部分は、図６（ａ）、（ｂ）、図７（ｂ）に示すように、内側壁４３は形成されておらず、頂壁４０と第２レール２０の底部２６との間には、隙間４６より上下方向に広い開口部４５が形成されている。
【００４１】
ロック案内部材４０で案内するロック部材５０は、図６（ｃ）、（ｄ）に示すように、略台形状の平板部５１を有する。平板部上に、前方内側には第１案内隆起部５２が形成されており、後方方外側には第２案内隆起部５３が形成されている。
【００４２】
第１案内隆起部５２及び第２案内隆起部５３の間に、図６（ａ）、図７（ａ）、（ｃ）、（ｄ）に示すように、ロック案内部材４０の内側壁４３が嵌合し、ロック部材５０は、ロック案内部材４０で案内されて第２レール２０の底部２６上を前後方向に移動可能である。
【００４３】
平板部５１の内側部上において、前方には第１係合隆起部５４が形成されており、後方には第２係合隆起部５５が形成されている。第１係合隆起部５４と第２係合隆起部５５は、図６（ｃ）に示すように、平面視で二股状に形成されている。
【００４４】
平板部５１の外側部上には、バネ５９の先端を装着する装着部５７が設けられている。バネ５９の基端部は、図４（ａ）、（ｃ）に示すように、第２レール２０の底部２６の後端のバネ装着部６１に装着されている。バネ５９は、引っ張りバネを使用し、その弾力（付勢力）によって、ロック部材５０及び係合突起３６を介して第２レール２０に対して第２インナーレール２２を後方へ引込む力（本明細書では「引込み力」という）を生じる。
【００４５】
内引出し４がキャビネット本体２内に完全に引込まれて閉止されている状態から開くために、前面扉６を前方に第１所定角度（図２（ｂ）の角度α参照）まで回動して内引出し４を引込み力に抗して前方に第１所定角度に対応する位置（前面壁１７が閉止状態から前方に距離Ｒ１だけ移動した位置）まで引出すと、作用の項でも詳記するが、図８（ｂ）に示す位置でロック部材５０及び係合突起３６の係合は解除され、バネ５９による引込み力の作用は解除される。                                   
【００４６】
このように、内引出し４を前方に引出す移動行程において、バネ５９による引込み力の作用が解除される前面扉６の前方への所定角度を「第１所定角度」と称し、そのときの内引出し４の位置を「第１所定角度に対応する位置」という。
【００４７】
本発明では、第１所定角度は、前面扉６を前方に回動して内引出し４がキャビネット本体２内で単独で前方にスライドされて、前面扉６の回動がリンク機構９によって拘束され、主引出し３と内引出し４が連結状態となって共に前方に移動開始可能となる角度βとなるまでの間の角度又は角度βと同じ角度になるように構成した。            
【００４８】
この第１所定角度を角度α（図２（ｂ）参照）とすると、角度α≦角度βである。この点が、本発明の引出しキャビネット１のきわめて特徴的な構成である。なお、内引出し４がキャビネット本体２内に完全に押込まれて閉止されている状態における前面壁１７の前面から、第１所定角度に対応する内引出し４の位置における内引出し４の前面壁１７の前面までの距離をＲ１（図２（ｂ）参照）とする。
【００４９】
即ち、内引出し４の前面壁１７の回動が拘束され、主引出し３と内引出し４が連結状態となるとともに前方に引出される前又は同時に、バネ５９による引込み力の作用を解除する構成とした。これにより、内引出し４の前面壁１７の回動が拘束され、主引出し３と内引出し４が連結状態となって共に前方にスライド移動する間は、内引出し４に対してはバネ５９による引込み力を作用させないようにした。
【００５０】
以上がソフトクローズ機構２３の特に引込み機構２４の構成であるが、引込み機構２４を設けると、引出しを閉じる際に、バネ５９による引込み力で、内引出し４がキャビネット本体２に対して衝突するので、ソフトクローズ機構２３においては、ダンパーを設ける必要がある。
【００５１】
図４（ａ）〜（ｃ）に示すように、このソフトクローズ機構２３は、第２レール２０にダンパー６２が内蔵（併設）されている。ダンパー６２は、油圧シリンダー緩衝器（空圧緩衝器でもよい）が使用されており、その可動ピストン軸６３から側方に突出した受け部６４に第２インナーレール２２の後端が衝接するように構成されている。
【００５２】
作用の項で詳記するが、内引出し４を閉じるために後方に押込むと、図８（ｃ）に示すように、係合突起３６が第２係合隆起部５５に係合し、ロック部材５０が案内部材に沿うようになり、しかもバネ５９の弾力（付勢力）によって、第２レール２０に対して第２インナーレール２２を後方へ引込む引込み力が生じる。
【００５３】
このように、バネ５９の弾力がロック部材５０に作用するタイミングと同時に、第２インナーレール２２の後端がダンパー６２の受け部６４に衝接するように構成されており、これにより、バネ５９による弾力で第２インナーレール２２に引込み力を作用させ、かつ緩衝させながら、第２インナーレール２２を後方へ引込むように作用させる。
【００５４】
ソフトクローズ機構の動作：
内引出し４が閉止された状態（図１（ａ）、（ｂ）参照）から、前面扉６を前方に回動して前方に引出すと、図８（ａ）に示すように、第２インナーレール２２の係合突起３６がロック部材５０の第１係合隆起部５４と係合し、ロック部材５０は、その第１案内隆起部５２と第２案内隆起部５３がロック案内部材４０の内側壁４３に沿うようにして、前方に移動する。ロック部材５０が前方に移動する際に、バネ５９をその弾力に抗して伸ばし付勢力を蓄える。
【００５５】
前面扉６をさらに前方に回動し、前面扉６が第１所定角度αに達し（図２（ｂ）参照）、内引出し４が、その前面壁１７が閉止状態から前方に距離Ｒ１だけ離れた位置（第１所定角度αに対応する位置）まで前方に引出されて移動すると、ロック部材５０が前方に移動して、第１案内隆起部５２が内側壁４３の開口部４５に達する。すると、図８（ｂ）に示すように、第１案内隆起部５２が案内部材の内側壁４３から外れて開口部４５に入り込み、ロック部材５０は、バネ５９の弾力によってその外側面５６を中心にして矢印に示すように、反時計方向に回転して、開口部４５からロック案内部材４０内に一部入りこみ、そこで停止する。
【００５６】
同時に、第２インナーレール２２の係合突起３６は、第１係合隆起部５４との係合から脱してさらに前方に移動する。従って、それ以降は、内引出し４の前方への移動によって、バネ５９を付勢することもなく、また、内引出し４はバネ５９の引込み力を受けることがない。
【００５７】
内引出し４を閉じる場合は、内引出し４を後方に押込む。そして、内引出し４が、その前面壁１７が閉止状態から前方に距離Ｒ１だけ離れた位置（第１所定角度αに対応する位置。図２（ｂ）参照）まで移動すると、図８（ｃ）に示すように、第２インナーレール２２の係合突起３６は第２係合隆起部５５に係合し、ロック部材５０を時計方向に回転させる。
【００５８】
これにより、ロック部材５０は、その第１案内隆起部５２と第２案内隆起部５３が、ロック案内部材４０の内側壁４３に沿うようになって、前方に移動可能となる。また、同時に、第２インナーレール２２の外側壁３３の後端がダンパー６２の受け部６４に衝接する。
【００５９】
この状態では、バネ５９により、内引出し４に後方に戻る引込み力が作用するが、第２インナーレール２２の外側壁３３の後端がダンパー６２の受け部６４に衝接して緩衝されるので、内引出し４はゆっくりした速度で後方に戻る。これにより、内引出し４は、後方への引込み力が作用し自動的、後方に戻って閉じるが、衝突音が発生したり、キャビネット本体２の破損等が生じることがない。
【００６０】
以上が内引出し４についてのソフトクローズ機構付きレール装置の構成及び動作であるが、主引出し３についても同じ構成のソフトクローズ機構付きレール装置が採用される。主引出し３についてバネによる引込み力の作用が解除するタイミングは、主引出し３がキャビネット本体２内に完全に収まっている状態から前方に引出されてスライド移動し、前面扉６が前方に距離Ｒ２（図２（ｃ）参照）だけ移動し、主引出し３が所定位置に達した時である。
【００６１】
（作用）                                                    
以上の構成による本発明の作用を、以下説明する。内引出し４を使用する場合は、図１（ａ）に示す状態から、使用者が主引出し３の取手１１に手をかけて、前方に引くと、その前面扉６は前方に回動し、前面扉６が角度α’まで前方に回動すると、図２（ａ）に示すように、係合部１２’が係合突起１８に係合する。
【００６２】
さらに前面扉６が前方に回動すると、係合片１２及び係合突起１８から成る連結具１３を介して内引出し４はキャビネット本体２内で単独で前方にスライド移動する。この移動に際しては、内引出し４のソフトクローズ機構２３により生じるバネ５９の引込み力に抗して、使用者は取手１１に手をかけて前面扉６を前方に引いて回動する。
【００６３】
そして、図２（ｂ）に示すように、前面扉６が前方に第１所定角度αだけ回動し、前面壁１７が前方に所定の距離Ｒ１だけ移動し、内引出し４が第１所定角度αに対応する位置まで引出されると、内引出し４のソフトクローズ機構２３のバネ５９により生じる引込み力の作用は解除される。
【００６４】
この状態でさらに前面扉６を前方に回動すると、前面扉６の回動がリンク機構９で拘束される。この状態では、すでに連結具１３を構成する係合片１２及び係合突起１８が互いに係合しているから、主引出し３と内引出し４が連結状態となって共に前方にスライド移動し始める。
【００６５】
なお、内引出し４のソフトクローズ機構２３により生じるバネによる引込み力の作用が解除する位置までの第１所定角度αと、前面扉６の回動が拘束される角度βを同じ大きさに設定した場合は、内引出し４のソフトクローズ機構２３により生じるバネによる引込み力の作用の解除と、前面扉６の回動の拘束が、略同時に生じる。
【００６６】
主引出し３と内引出し４が連結状態となって共に前方にスライド移動し始める行程では、内引出し４についてはバネによる引込み力を受けないが、主引出し３についてはソフトクローズ機構により生じるバネによる引込み力が作用する。
【００６７】
そして、図２（ｃ）に示すように、前面扉６が前方に距離Ｒ２だけ移動して、主引出し３を所定位置まで引出した時に、主引出し３のソフトクローズ機構により生じるバネによる引込み力の作用が解除する。
【００６８】
図２（ｃ）に示す状態から、さらに図３（ａ）に示す状態に向けて、主引出し３と内引出し４が連結状態で共に前方にスライド移動する際には、主引出し３及び内引出し４のいずれについても、ソフトクローズ機構により生じるバネによる引込み力はすでに解除されているので、いずれの引込み力を受けることなく、使用者は軽い力で前方に引出すことができる。
【００６９】
図３（ａ）の状態において、内引出し４のみをキャビネット本体２内に押込んで閉じる場合は、内引出し４の前面壁１７を手で押して、図３（ｂ）に示すように、内引出し４を後方に押込み移動させる。この移動の際、第１所定角度に対応する位置（図２（ｂ）参照）まで内引出し４を押込むと、内引出し４のソフトクローズ機構２３が動作して、内引出し４にはバネにより引込み力が作用されるとともに、ダンパーにより緩衝されて、キャビネット本体２内にゆっくりと引込まれる。
【００７０】
その後、主引出し３をキャビネット本体２内に押込んで閉じる場合も、取手１１に手を掛けて後方に押込み移動させると、所定位置（図２（ｃ）参照）において、内引出し４と同様にソフトクローズ機構２３が動作してキャビネット本体２内に引込まれる。
【００７１】
主引出し３を単独で使用する場合は、図２（ａ）又は（ｂ）に示す状態から、使用者が内引出しの前面壁１７を手で抑えた状態で、主引出し３の取手１１に手を掛けて前方に引くことで、主引出し３のみを単独で引出すことができる。
【００７２】
この場合は、主引出し３が前方に距離Ｒ２だけ移動して前面扉６が所定位置に達した時に、主引出し３のソフトクローズ機構により生じるバネによる引込み力の作用が解除される。そして、さらに主引出し３の取手１１に手を掛けて前方に引くことで、バネによる引込み力の作用を受けることなく、開くことができる。
【００７３】
以上、本発明に係る引出しキャビネットを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００７４】
本発明に係る引出しキャビネットは上記のような構成であるから、主引出しと内引出しを備えた引出しキャビネットであれば、キッチン用、事務用、家具様等、いろいろな分野の引出しキャビネットに適用可能である。
【符号の説明】
【００７５】
１  引出しキャビネット                                             
２  キャビネット本体                                   
３  主引出し                                                 
４  内引出し
５  主引出し本体                                                
６  前面扉                                                   
７  主引出しの底部                                           
８  ヒンジ                                     
９  リンク機構                                          
１０、１０’  リンク片                                   
１１   取手                                   
１２  係合片    
１２’  係合部
１３  連結具
１４  キャビネット本体の左右の側壁                        
１５  内引出し本体                
１７  内引出しの前面壁                                                      
１８  内引出しの底部の係合突起
１９  主引出し用の第１レール                                            
２０  内引出し用の第２レール                                      
２１  主引出し用の第１インナーレール                                          
２２  内引出し用の第２インナーレール                                          
２３  ソフトクローズ機構                                        
２４  引込み機構                                              
２６  内引出し用の第２レールの底部                            
２７  内引出し用の第２レールの外側壁                          
２８  内引出し用の第２レールの支持レール部                    
３１  内引出し用の第２インナーレールの取付け壁                      
３２  インナーレールの頂壁                                        
３３  インナーレールの外側壁                                      
３４  インナーレールの底部                                        
３５  インナーレールの内側壁                                      
３６  インナーレールの係合突起                                    
３８  インナーレールの転動輪                                      
４０  ロック案内部材                                            
４１  ロック案内部材の頂壁                                      
４２  ロック案内部材の外側壁                                    
４３  ロック案内部材の内側壁                                    
４４  ロック案内部材の取付け部                                
４５  ロック案内部材の内側壁の開口部                            
４６  ロック案内部材の内側壁の隙間                              
５０  ロック部材                                                
５１  ロック部材の平板部                                        
５２  ロック部材の第１案内隆起部                                
５３  ロック部材の第２案内隆起部                                
５４  ロック部材の第１係合隆起部                                    
５５  ロック部材の第２係合隆起部                                
５６  ロック部材の外側面                                        
５７  ロック部材のバネの装着部                                              
５９  バネ（引っ張りコイルバネ）                                
６１  第２レールの底部後端のバネ装着部                      
６２  内蔵されたダンパー                                        
６３  ダンパーの可動ピストン軸                                  
６４  可動ピストン軸から側方に突出した受け部                    
【図１】
0005912063.tif 000002
【図２】
0005912063.tif 000003
【図３】
0005912063.tif 000004
【図４】
0005912063.tif 000005
【図５】
0005912063.tif 000006
【図６】
0005912063.tif 000007
【図７】
0005912063.tif 000008
【図８】
0005912063.tif 000009